(57)【要約】      （修正有）【課題】ユーザーによって設定された露出ムラ補正に応じて、ライブビュー表示と、電子先幕シャッター動作による静止画の露出ムラ制御を可能にした撮像装置を提供する。【解決手段】光学ユニットを通過した光を受光して電荷として蓄積する撮像素子１０４と、撮像素子へ入射する光を遮光するように走行するメカニカルシャッター１０５と、撮像素子の領域ごとに順次、電荷蓄積を開始する走査を演算する電子先幕走査演算部と、走査を制御する垂直駆動変調回路制御部と、メカニカルシャッター及び走査を行うタイミングを制御するカメラＣＰＵ１１３と、静止画及びライブビュー映像を表示する画像表示部１５１と、ユーザーによる設定を入力するスイッチユニット１１２を有し、制御手段は、光学ユニットに関する情報と、入力手段によって設定された露出ムラ補正値に応じて、ライブビュー表示と電子先幕シャッターによる静止画を補正する構成とした。【選択図】図１
2015097320.tif 000002
【特許請求の範囲】
【請求項１】
光学ユニットを通過した光を受光して電荷として蓄積する撮像素子（１０４）と、前記撮像素子へ入射する光を遮光するように走行するメカニカルシャッター（１０５）と、前記撮像素子の領域ごとに順次、電荷蓄積を開始する走査を演算する電子先幕走査演算部（１１３ｄ）と、前記電子先幕走査演算部による走査を制御する垂直駆動変調回路制御部（１１３ｅ）と、前記メカニカルシャッターの走行を開始させるタイミング及び前記走査手段による前記電荷蓄積を開始する走査を行うタイミングを制御するカメラＣＰＵ（１１３）と、前記メカニカルシャッターの走行を開始させるタイミング及び前記走査手段による静止画及び前記走査手段によるライブビュー映像を表示する画像表示部（１５１）と、ユーザーによる設定を入力するスイッチユニット（１１２）を有し、
前記制御手段は、前記光学ユニットに関する情報（１１５）と、前記入力手段によって設定された露出ムラ補正値に応じて、前記ライブビュー表示と前記電子先幕シャッターによる静止画を補正することを特徴とする撮像装置。
【請求項２】
前記スイッチユニット（１１２）によって設定された露出ムラ補正値は、前記光学ユニット（１１２）に関連付けて記録することを特徴とする請求項１に記載の撮像装置。
【発明の詳細な説明】
【技術分野】
【０００１】
本発明は、撮像装置に関し、特にメカニカルシャッターと電子シャッターを併用した撮像動作の補正と、それに応じたライブビュー表示に関するものである。
【背景技術】
【０００２】
従来一眼レフタイプのデジタルカメラには、メカニカルシャッターと電子シャッターを併用して撮像動作を行うものがある。これらのデジタルカメラはメカニカルシャッターが後幕として構成され、後幕の走行に先行して、撮像素子への電荷蓄積開始操作を行う電子シャッターを駆動することにより撮影が行われている。こうした機構を備えたデジタルカメラはライブビュー機能があり、ユーザーは光学ファインダーを覗くことなくディスプレイなどの表示装置で構図を確認しながら撮影することができる。
【０００３】
しかし、メカニカルシャッターと電子シャッターを併用した機構を用いて撮像装置を構成する場合、電子シャッターは撮像素子面で機能するが、メカニカルシャッターは撮像面から光軸方向に離れて配置される。従って、撮影レンズの焦点距離、射出瞳距離、絞り込み、マクロレンズのフォーカス等により、メカニカルシャッターによる撮像面の遮光位置は変化してしまう。このため、シャッター走行方向に露出ムラが生じてしまう。以下、このようなメカニカルシャッターと電子シャッターの構成を電子先幕シャッターと称する。
【０００４】
特許文献１では、上記の問題を解決するために、光学ユニットに関する情報に応じて、メカニカルシャッターの走行により生じる撮像素子の露光ムラが低減されるように、前記撮像素子の領域ごとに電荷蓄積を開始する走査を行うタイミングを設定することが開示されている。
【先行技術文献】
【特許文献】
【０００５】
【特許文献１】特開２０１２−１３８９５８号公報
【発明の概要】
【発明が解決しようとする課題】
【０００６】
しかしながら、上述の特許文献に開示された従来技術では、光学ユニットとメカニカルシャッターの走行により生じる撮像素子の露光ムラが低減されるように、前記撮像素子の領域ごとに電荷蓄積を開始する走査を行うタイミングを設定するため、光学ユニットのもつ露光ムラを利用したい場合や、その露光ムラの程度をユーザーが任意に補正することは考えられていなかった。また、静止画に光学ユニットのもつ露光ムラを利用したい場合や、その露光ムラの程度をユーザーが任意に設定した補正量に応じて変化させると、電子先幕シャッターの静止画とライブビュー映像で露光ムラが異なってしまう。
【０００７】
そこで、本発明の目的は、ユーザーによって設定された露出ムラ補正量に応じて、ライブビュー表示と、電子先幕シャッター動作による静止画の露出ムラ制御を可能にした撮像装置を提供することである。
【課題を解決するための手段】
【０００８】
上記目的を達成するために、本撮像装置は、光学ユニットを通過した光を受光して電荷として蓄積する撮像素子と、
前記撮像素子へ入射する光を遮光するように走行するメカニカルシャッターと、
前記撮像素子の領域ごとに順次、電荷蓄積を開始する操作を行う走査手段と、
前記メカニカルシャッターの走行を開始させるタイミング及び前記走査手段による前記電荷蓄積を開始する走査を行うタイミングを制御する制御手段と、
前記電子先幕シャッターによる静止画及び前記制御手段によるライブビュー映像を表示する表示手段と、
ユーザーによる設定を入力する入力手段を有し、
前記制御手段は、前記光学ユニットに関する情報と、前記入力手段によって設定された露出ムラ補正値に応じて、前記ライブビュー表示と前記電子先幕シャッターによる静止画を補正することを特徴とする。
【発明の効果】
【０００９】
本発明によればユーザーによって設定された露出ムラ補正量に応じて、ライブビュー表示と、電子先幕シャッター動作による静止画の露出ムラ制御が可能な撮像装置を提供することができる。
【図面の簡単な説明】
【００１０】
【図１】実施形態における撮像システムの構成を示すブロック図。
【図２】実施形態における撮像素子及びシャッターを被写体側から見た正面図。
【図３】射出瞳距離の異なるレンズとシャッターの位置関係に伴う電荷蓄積領域の変化を説明する図。
【図４】異なる射出瞳距離における電子先幕シャッターの走査パターンと、メカ後幕の走行カーブの関係を示す図。
【図５】実施形態における撮像装置の撮影動作を示すフローチャート。
【図６】実施形態における電子先幕走査の制御に関するブロック図。
【図７】実施形態における入力された露出ムラ補正値αとシャッター秒時に応じた補正射出瞳距離の演算に関するフローチャート。
【図８】実施形態における補正射出瞳距離による電子先幕走査パターンの制御に関する図
【図９】第２実施形態における撮像装置の撮影動作を示すフローチャート。
【発明を実施するための形態】
【００１１】
以下に、本発明の好ましい実施の形態を、添付の図面に基づいて詳細に説明する。
【００１２】
［実施例１］
図１は、本発明の第１の実施形態にかかわる撮像システムの構成を示すブロック図である。
【００１３】
第１の実施形態にかかわる撮像システムは、撮像装置であるカメラ本体１００と、カメラ本体１００に装着される、撮影光学係としての着脱可能なレンズユニット１０１とを有している。
【００１４】
まず、レンズユニット１０１内の構成について説明する。
【００１５】
１１４は撮影レンズであり、図１では、１つのレンズとして表しているが、実際には、フォーカスレンズやズームレンズ等、複数のレンズから構成されている。
【００１６】
レンズＣPＵ１１５は、レンズ駆動回路１１６を介して撮影レンズ１１４の駆動を制御すると共に、絞り駆動回路１１７を介して絞り１１７ａを駆動し、撮影動作時の被写体輝度に応じた絞りの制御を行う。
【００１７】
レンズＣPＵ１１５は、レンズユニット１０１側の通信接点１１８及びカメラ本体１００側の通信接点１１９を介して、後述するカメラ本体１００内のカメラＣPＵ１１３と通信することができる。
【００１８】
レンズＣPＵ１１５は、通信接点１１８及び１１９を介して、レンズ情報をカメラＣPＵ１１３の要求に応じて通知する。
【００１９】
次に、カメラ本体１００の構成について説明する。
【００２０】
撮像装置が非撮影状態（図１に示す状態）にある場合、レンズユニット１０１の撮影レンズ１１４及び絞り１１７を通過した被写体光束のうちの一部の光束は、撮影光路内に位置するミラー１０２で反射されてファインダー光学係１０３に導かれる。
【００２１】
これにより、撮影者は、ファインダー光学係１０３を介して被写体像を観察することができる。
【００２２】
後述する不図示のレリーズ釦が押されて非撮影状態から撮影状態に移行すると、ミラー１０２は撮影光路から退避する。
【００２３】
これにより、レンズユニット１０１からの被写体光束は、ＣＭＯＳセンサやＣＣＤなどにより構成される撮像素子１０４へ向かう。
【００２４】
撮像素子１０４の各画素は、露光されている間、レンズユニット１０１により結像された被写体光学像を光量に応じて光電変換し、得られた電荷を蓄積する。
【００２５】
撮像素子１０４には、パルス発生回路１０７から走査クロック（水平駆動パルス）や所定の制御パルスが供給される。
【００２６】
パルス発生回路１０７で発生した走査クロックのうち、垂直走査用のクロックは垂直駆動変調回路１０８によって所定のクロック周波数に変調されて、撮像素子１０４に入力される。
【００２７】
この垂直駆動変調回路１０８によって電子先幕シャッターの走査パターンが決定される。また、パルス発生回路１０７は、後述する信号処理回路１０９にもクロック信号を出力する。
【００２８】
撮像素子１０４に対して物体側（レンズ側）には、メカニカルシャッター１０５が配置されている。
【００２９】
メカニカルシャッター１０５は、複数の遮光羽根で構成された後幕（以下、「メカ後幕」と呼ぶ。）を有し、撮像素子１０４を遮光する。
【００３０】
カメラＣPＵ１１３は、シャッター駆動回路１０６を介してメカニカルシャッター１０５の駆動を制御する。
【００３１】
信号処理回路１０９は、撮像素子１０４から読み出された信号に対して二重相関サンプリング処理（ＣＤＳ）やゲイン（ＡＧ）処理、及び所定の処理（色処理やガンマ補正等）を施すことにより画像データを生成する。
【００３２】
生成された画像データは、画像表示回路１１０を介して画像表示部１５１に出力されて撮影画像として表示されたり、画像記録回路１１１に記録されたりする。
【００３３】
スイッチユニット１１２は、主電源のＯＮ／ＯＦＦを制御するスイッチや、撮影条件等を設定するために操作されるスイッチや、撮影準備動作および撮影動作を開始させるために操作されるスイッチ（レリーズ釦）を含む。
【００３４】
レリーズ釦の半押し操作（スイッチＳＷ１のＯＮ）で撮影準備動作（測光動作や焦点調節動作等）が開始される。
【００３５】
更に、全押し操作（スイッチＳＷ２のＯＮ）で撮影動作（撮像素子１０４の露光及び電荷信号の読み出し、及び電荷信号を処理して得られた画像データの記録媒体への記録）が開始される。
【００３６】
カメラＣPＵ１１３は、スイッチユニット１１２の操作に応じた動作を行う。
【００３７】
情報格納部１５０は、後述するような補正射出瞳距離Ｐを決定するためのαを複数記憶する。
【００３８】
上記構成を有する本実施の形態におけるカメラ本体１００は、通常複数の遮光羽根で構成される先幕に代えて、撮像素子１０４の画素を順次リセットし、電荷蓄積を開始する電子シャッターである電子先幕シャッターと前記メカ後幕による電子先幕シャッターを採用している。
【００３９】
そして、電子先幕シャッターを用いて撮像素子１０４の露光制御を行う構成となっている。
【００４０】
図２は、撮像素子１０４およびメカ後幕をレンズ側から光軸方向に沿って観察した様子を示す正面図であり、レリーズ釦の押下により撮影が開始された後の、電子先幕走査およびメカ後幕の走行が途中にあるときの状態を示している。
【００４１】
矢印１は、電子先幕走査の走査方向と、メカ後幕の走行方向を示す。
【００４２】
なお、撮影レンズ１１４により撮像素子１０４の撮像素子に結像した被写体像は上下が反転する。
【００４３】
そのため、図２のように撮像素子の下側から上側に向かって電子先幕走査を行うことで、画像上部から画像下部へ電子先幕走査及びメカ後幕の走行が行われることになる。
【００４４】
図２において、２は撮像素子１０４の撮像面、３はメカニカルシャッター１０５のメカ後幕であり、メカ後幕３が撮像面２の一部の領域を遮光している状態が示されている。
【００４５】
４は、撮像素子１０４におけるリセット走査を行っているライン（リセットライン）を示す。
【００４６】
リセット走査はリセットライン４上の画素の蓄積電荷量をゼロにするものであり、リセットライン４は電子先幕シャッターの先端に相当する。
【００４７】
リセットライン４とメカ後幕３の先端５との間のスリットによって形成される領域６は、撮像素子１０４において露光による電荷蓄積が行われている領域（電荷蓄積領域）である。
【００４８】
電荷蓄積領域６は電子先幕シャッターとメカ後幕３の走行に従って、矢印１の方向へ移動していくことになる。
【００４９】
リセットライン４が通過してから、つまり画素がリセットされてから、メカ後幕３によって遮光状態となるまでの時間が、画素の露光による電荷蓄積時間となる。
【００５０】
このように、リセットライン４が矢印１の方向へ走査して各ラインの電荷蓄積が開始されるので、電荷蓄積の開始タイミングは撮像素子１０４のライン毎に異なる。
【００５１】
図２に示す例では、撮像面２において最も下に位置するラインで電荷蓄積動作が最も早いタイミングで行われ、最も上に位置するラインで電荷蓄積動作が最も遅いタイミングで行われる。
【００５２】
撮像面２の下部から上部へ向かうリセットライン４の移動は、垂直駆動変調回路１０８により図４の（ａ）及び（ｂ）を参照して後述するように制御される。
【００５３】
このリセットライン４の移動パターンを「走査パターン」と称する。この走査パターンは、撮像素子１０４のライン毎にリセット走査が行われるタイミングを示したものということができる。
【００５４】
情報格納部１５０には、このような走査パターンを実行するための補正射出瞳距離Ｐに関する情報が複数記憶されている。
【００５５】
カメラＣPＵ１１３は、これらのうちの一つを選択し、選択した係数による式とレンズＣPＵ１１５の情報に基づいてリセットライン４が移動するように垂直駆動変調回路１０８を制御する。
【００５６】
なお、補正射出瞳距離Ｐを決定する処理の詳細は後述する。
【００５７】
図３は本実施形態における撮影レンズ１１４とメカニカルシャッター１０５、撮像素子１０４の関係を示す断面図である。
【００５８】
図３において、（ａ）と（ｂ）のシャッター走行は上方向であり、１１４ａは射出瞳距離の長い位置にレンズ中心がある場合を示している。
【００５９】
１１４ｂは射出瞳距離の短い位置にレンズ中心がある場合を示している。
【００６０】
また、１０５−１はシャッター地板、１０５−２はシャッター羽根押さえである。
【００６１】
図３（ａ）は撮影動作における電子先幕シャッターの開き始めの状態を示している。
【００６２】
スリット幅Ｃは、射出瞳距離の長いレンズ１１４ａを透過した光束が、１０５−３によって遮光されるラインとリセットライン４とによって制限され、撮像面２に入射する領域の幅を示している。
【００６３】
また、スリット幅Ｄは、射出瞳距離が短いレンズ１１４ｂを透過した光束が、メカ後幕１０５−３によって遮光されるラインとリセットライン４とによって制限され、撮像面２に入射する領域の幅を示している。
【００６４】
図３（ａ）のタイミングでは、スリット幅Ｄの方がスリット幅Ｃよりも大きい。
【００６５】
よって、電子先幕シャッター及びメカ後幕を同じ条件で駆動した場合、スリット幅Ｄに示される領域において、レンズ１１４ｂの位置にある場合の露光量はレンズ１１４ａの位置にある場合の露光量より大きくなる。
【００６６】
従って、レンズ１１４ａの位置で適正露光が得られるように電子先幕シャッターのリセット走査の走査パターンが設定されていた場合、シャッターの開き出しにおいては、レンズ１１４ｂの位置で撮影されたとき、露出がオーバーになってしまうことになる。
【００６７】
図３（ｂ）は撮影動作後半（メカ後幕走行完間近）の状態を示している。
【００６８】
スリット幅Ｃ’は、射出瞳距離が長いレンズ１１４ａを透過した光束が、メカ後幕１０５−３によって遮光されるラインとリセットライン４とによって制限され、撮像面１０４に入射する領域の幅を示している。
【００６９】
また、スリット幅Ｄ’は、射出瞳距離が短いレンズ１１４ｂを透過した光束が、１０５−３によって遮光されるラインとリセットライン４とによって形成され、撮像面１０４に入射する領域の幅を示している。
【００７０】
図３（ｂ）に示されるタイミングでは、図３（ａ）に示したシャッターの開き始めの状態とは逆転し、スリット幅Ｃ’の方がスリット幅Ｄ’よりも大きい。
【００７１】
よって、電子先幕シャッター及びメカ後幕を同じ条件で駆動する場合、スリット幅Ｄ’に示される領域において、レンズ１１４ｂの位置にある場合の露光量はレンズ１１４ａの位置にある場合の露光量より小さくなる。
【００７２】
従って、レンズ１１４ａの位置で適正露光が得られるように電子先幕走査の走査パターンが設定されていた場合、レンズ１１４ｂの位置で撮影されたとき、露出がアンダーになってしまうことになる。
【００７３】
このように、シャッターの開き始めから開き終わりまでの間で、露出量は一定ではなく、変化しているため、その結果、画像の上部と下部とに露光ムラ（以下、上下方向の露光ムラ）が発生してしまう。
【００７４】
次に、図４（ａ）は、電子先幕シャッターとメカ後幕シャッターの走行と光量時間を表した図である。
【００７５】
１２はメカ後幕の走行パターンを表し、走行開始から徐々に速度が上がる状態を表している。
【００７６】
１１は電子先幕走査の走査パターンを表す。
【００７７】
走査パターン１１と走査パターン１２の時間方向の距離が撮像素子の各ラインの露光時間を表す。
【００７８】
図４（ａ）では、撮像素子の下から上に渡ってほぼ同じ露光時間となっている。
【００７９】
前述したレンズ１１４ａのような射出瞳距離が十分長いときは、メカ後幕の走行カーブとほぼ同じ形状の走査パターンで適正な露光が得られる。
【００８０】
また、射出瞳距離が短い位置にあるレンズ１１４ｂの場合には、シャッター開き始めは露出がオーバーで、徐々に露出が下がり、シャッター走行完間近には露出はアンダーになる。
【００８１】
具体的には、図４（ａ）に示すようなシャッター制御では、特に撮像面下部（＝画像の上部）において露出がオーバーとなり、撮像面上部（＝画像の下部）において露出アンダーとなる。
【００８２】
そのため、撮像面下部の露光時間を短くし、撮像面上部の露光時間を長くすることで露光ムラを軽減するように、電子先幕の走査パターン１１を図４（ｂ）の走査パターン１１ｂに補正することが必要となる。
【００８３】
以上のような構成を有する撮像システムの本第１の実施形態における撮像動作の概略について、図５のフローチャートを参照して、カメラの動作を追いながら説明する。
【００８４】
なお、図５に示す処理はカメラＣPＵ１１３が主体となって実行される処理である。
【００８５】
まず、Ｓ１０１においてＬＶモードであるか判定する。
【００８６】
ＬＶモードでなければ、Ｓ１０２へ進み、通常の撮影フローになる。
【００８７】
ＬＶモードの場合はＳ１０３へ進む。
【００８８】
Ｓ１０３では、ミラー１０２をアップ（撮影光路から退避）しＳ１０４へ進む。
【００８９】
Ｓ１０４では、カメラＣPＵ１１３は通信接点１１８、１１９を介して、装着されたレンズの個体情報、絞り値、焦点距離、射出瞳距離、撮影距離をレンズＣPＵ１１５から取得し、Ｓ１０５へ進む。
【００９０】
Ｓ１０５では、不図示の測光センサからの出力とＩＳＯ感度設定等の情報により、レンズの絞り値を決定しＳ１０６へ進む。
【００９１】
Ｓ１０６では、不図示の測距係によって被写体距離情報が取得され、レンズユニット１０１の撮影距離が決定されＳ１０７へ進む。
【００９２】
Ｓ１０７では、被写体輝度と絞り値、ＩＳＯ感度設定等によりシャッター速度を決定し、Ｓ１０８に進む。
【００９３】
Ｓ１０８では、電子先幕シャッターの露出ムラ補正がＯＮであるか判断する。
【００９４】
電子先幕シャッターの露出ムラ補正がＯＮでない場合は、Ｓ１１１へ進みＬＶ表示を行う。
【００９５】
電子先幕シャッターの露出ムラ補正がＯＮの場合は、Ｓ１０９へ進む。
【００９６】
Ｓ１０９では、ユーザーによって入力された電子先幕シャッターの露出ムラ補正値αを検出し、Ｓ１１０へ進む。
【００９７】
Ｓ１１０では、Ｓ１０９で入力された露出ムラ補正値αに応じて撮像素子１０４の表面上で行うリセット走査パターンを決定しＳ１１１へ進む。
【００９８】
Ｓ１１１では、Ｓ１１０で決定したリセット走査と蓄積走査を繰り返し、ＬＶ表示しＳ１１２へ進む。
【００９９】
Ｓ１１２では、スイッチユニット１１２内のレリーズ釦の第１ストローク（以下、半押し状態）が検出されると（スイッチＳＷ１のＯＮ）、Ｓ１１３へ進む。
【０１００】
Ｓ１１３では、Ｓ１０９で入力された露出ムラ補正値αとＳ１０７で入力されたシャッター秒時に応じて電子先幕シャッターの走査パターン補正を行いＳ１１４へ進む。
【０１０１】
露出ムラ補正値αとシャッター秒時に応じた電子先幕シャッターの走査パターン補正については後述する。
【０１０２】
Ｓ１１４では、レリーズ釦の第２ストローク（Ｓ２）が検出されるとＳ１１５へ進む。
【０１０３】
Ｓ１１５では、Ｓ１１３で補正された電子先幕シャッター走行を行い、Ｓ１１６へ進む。
【０１０４】
Ｓ１１６では、メカ後幕駆動制御を行い、撮像素子１０４を順次遮光し、撮像素子１０４から電荷信号を読み出して処理することにより画像を取得する。
【０１０５】
最後に１１７では、ミラー１０２のダウンとメカニカルシャッター１０５のシャッターチャージを行い、Ｓ１１８へ進む。
【０１０６】
Ｓ１１８ではカメラにレンズが装着されていないかを判断し、レンズが装着されている場合は撮像に伴う一連のシャッター制御シーケンスが終了し、Ｓ１０１に戻る。
【０１０７】
レンズが装着されていない場合はＳ１１９へ進む。
【０１０８】
Ｓ１１９では、Ｓ１０９で入力されたαをリセットし、Ｓ１０１に戻る。
【０１０９】
次に、Ｓ１１３で行われている露出ムラ補正値αに応じた電子先幕シャッターの走査パターン補正について図６、図７を参照して説明する。
【０１１０】
図６は本第１の実施形態による電子先幕走査の制御に関するブロック図である。
【０１１１】
カメラＣPＵ１１３の情報収集部１１３ａは、上述したように装着されたレンズの個体情報１０１ａ、絞り値１０１ｂ、撮影距離１０１ｃ、射出瞳距離１０１ｄと、カメラ本体のスイッチユニット１１２より設定されたシャッター秒時１１２ａ、α情報１１２ｂ等を収集する。
【０１１２】
そして、１１３ｂでは、収集した情報の内レンズの個体情報１０１ａ、射出瞳距離１０１ｄ、シャッター秒時１１２ａ、α情報１１２ｂをβ演算部１１３ｂに渡し、シャッター秒時に応じた露出ムラ補正値βを演算する。
【０１１３】
シャッター秒時に応じた露出ムラ補正値βの演算方法は図を参照して後述する。
【０１１４】
その後１１３ｃへ進み、補正射出瞳距離演算部１１３ｃに演算後の露出ムラ補正値βを渡す。   
【０１１５】
１１３ｃでは、１１３ｂで演算された露出ムラ補正値βとレンズユニットから取得した射出瞳距離を用いて補正射出瞳距離を演算し、電子先幕走査演算部１１３ｄに渡す。
【０１１６】
電子先幕走査演算部１１３ｄでは、１１３ｃで演算した補正射出瞳距離に基づいて電子先幕走査のリセット走査パターンを演算し、垂直駆動変調回路制御部１１３ｅに渡す。
【０１１７】
垂直駆動変調回路制御部１１３ｅは、電子先幕走査演算部１１３ｄによって演算された補正射出瞳距離に基づいて電子先幕走査を実行するべく、垂直駆動変調回路１０８を制御する。
【０１１８】
次に、図７は露出ムラ補正値αとシャッター秒時に応じた補正射出瞳距離の演算処理（Ｓ１１３）を表すフローチャートである。
【０１１９】
まず、Ｓ４０１では、装着されたレンズユニット１０１の射出瞳距離等のレンズ情報を収集し、Ｓ４０２へ進む。
【０１２０】
Ｓ４０２では、Ｓ１０７で設定されたシャッター秒時（ＴＶ）が秒時Ｄよりも早いか判断する。
【０１２１】
秒時Ｄはシャッターの走行カーブの影響が小さくなる長秒時である。
【０１２２】
ＴＶが秒時Ｄよりも遅い場合はＳ４０３へ進む。
【０１２３】
Ｓ４０３では秒時が遅いため露出ムラ補正ができないことをユーザーに通知し、Ｓ４０４へ進む。
【０１２４】
Ｓ４０４では、レンズの個体情報に応じた標準の射出瞳距離に決定しＳ１１４へ進む。
【０１２５】
Ｓ４０２でＴＶが秒時Ｄよりも早い場合はＳ４０５へ進む。
【０１２６】
Ｓ４０５では、ＴＶが秒時Ａよりも早いか判断する。
【０１２７】
早い場合は、Ｓ４０６へ進み、α×ａを実行しβとする。
【０１２８】
ＴＶが秒時Ａよりも遅い場合は、Ｓ４０７へ進む。
【０１２９】
Ｓ４０７では、ＴＶが秒時Ａ以下かつ秒時Ｂ以上であるか判断する。
【０１３０】
ＴＶが秒時Ａ以下かつ秒時Ｂ以上である場合はＳ４０８へ進み、α×ｂを実行し、βとする。
【０１３１】
ＴＶが秒時Ａ以下かつ秒時Ｂ以上でない場合はＳ４０９へ進む。
【０１３２】
Ｓ４０９では、ＴＶが秒時Ｂ以下かつ秒時Ｃ以上であるか判断する。
【０１３３】
ＴＶが秒時Ｂ以下かつ秒時Ｃ以上である場合はＳ４１０へ進み、α×ｃを実行し、βとする。
【０１３４】
ＴＶが秒時Ｂ以下かつ秒時Ｃ以上でない場合はＳ４１１へ進む。
【０１３５】
Ｓ４１１では、ＴＶが秒時Ｃ以下かつ秒時Ｄ以上と判断され、α×ｄを実行し、βとなり、Ｓ４１２へ進む。
【０１３６】
以上、秒時に応じた値ａ、ｂ、ｃ、ｄは補正係数である。
【０１３７】
Ｓ４１２では、Ｓ４０５からＳ４１１で演算した秒時に応じた露出ムラ補正値βとレンズユニット１０１から取得した射出瞳距離（Ｐｏ）に基づいて補正射出瞳距離（Ｐｏ’）の演算を行う。
【０１３８】
これによって、異なる秒時であっても、同じ入力αで同等の補正射出瞳距離Ｐｏ’を得ることができる。
【０１３９】
また、前記露出ムラ補正値βの演算と、補正射出瞳距離Ｐｏ’の演算は前記式に限ったものでなく、ＴＶが早い場合ほどＰｏとＰｏ’の変化量は少なく、ＴＶが遅い場合ほどＰｏとＰｏ’の変化量が大きくなる式となる。
【０１４０】
次に、補正射出瞳距離Ｐｏ’による電子先幕シャッターの走査パターン制御に関して、
図４で使用した（ａ）を元に図８で説明する。
【０１４１】
（ａ）は、電子先幕シャッターとメカ後幕シャッターの走行と光量時間を表した図である。
【０１４２】
１２はメカ後幕の走行カーブを表し、走行開始から徐々に速度が上がる状態を表している。
【０１４３】
１１は電子先幕シャッターの走査パターンを表す。
【０１４４】
走査パターン１１と走査パターン１２の時間方向の距離が撮像素子の各ラインの露光時間を表す。
【０１４５】
図４（ａ）では、撮像素子の下から上に渡ってほぼ同じ露光時間となっている。
【０１４６】
射出瞳距離が十分長いレンズ時は、メカ後幕の走行カーブとほぼ同じ形状の走査パターンで適正な露光が得られる。
【０１４７】
この時、ユーザーが露出ムラ補正値αをマイナス値で入力した場合、Ｐｏ’はＰｏより小さな値となり、電子先幕シャッターの走査パターンは図（ｃ）の１１ｃのようにシャッター開き始めは露出がアンダーで、シャッター走行完間近には露出はオーバーになるような走査パターンになる。
【０１４８】
逆に、露出ムラ補正値αがプラス値で入力された場合、Ｐｏ’はＰｏより大きな値となり、電子先幕シャッターの走査パターンは図（ｄ）の１１ｄのようにシャッター開き始めは露出がオーバーで、徐々に露出が下がり、シャッター走行完間近には露出はアンダーになるような走査パターンになる。
【０１４９】
こうして演算された補正射出瞳距離Ｐｏ’に基づいて電子先幕シャッターを制御することにより、ユーザーの狙いの露出ムラにすることができる。
【０１５０】
［実施例２］
次に、本発明の第２の実施形態について図９を参照して説明する。
【０１５１】
なお、本第２の実施形態における撮像システムの構成は、第１の実施形態で図１を参照して説明したものと同様であるためここでは説明を省略する。
【０１５２】
図９は第２の実施形態における撮像動作を示すフローチャートである。
【０１５３】
第１の実施形態で図５を参照して説明した処理とは、レンズの個体情報に応じて情報格納部１５０に記録されている電子先幕シャッターの露出ムラ補正値αを、レンズ装着時から取得する処理（Ｓ１２０）と、撮像動作終了後に電子先幕シャッターの露出ムラ補正値αを情報格納部１５０に格納する処理を追加したことが異なる（Ｓ１２１）。
【０１５４】
これにより、ユーザーが一度入力した電子先幕シャッターの露出ムラ補正値αをレンズ脱着後にも反映することができ、レンズ毎にユーザーの狙いの露出ムラにすることができる。
【０１５５】
以上、本発明の好ましい実施形態について説明したが、本発明はこれらの実施形態に限定されず、その要旨の範囲内で種々の変形及び変更が可能である。
【符号の説明】
【０１５６】
１  メカ後幕の走行方向
２  撮像面
３  メカ後幕
４  リセットライン
５  メカ後幕の先端部
６  電荷蓄積領域
１００  カメラ本体
１０１  交換レンズ
１０１ａ  レンズの個体情報
１０１ｂ  絞り値
１０１ｃ  撮影距離
１０１ｄ  射出瞳距離１０４  撮像素子
１０５  メカニカルシャッター
１０６  シャッター駆動回路
１０７  パルス発生回路
１０８  垂直駆動変調回路
１０９  信号処理回路
１１０  画像表示回路
１１１  画像記録回路
１１２  スイッチユニット
１１２ａ  シャッター秒時
１１２ｂ  α情報１１３  カメラＣPＵ
１１３ａ  情報収集部
１１３ｂ  β演算部
１１３ｃ  補正射出瞳距離演算部
１１３ｄ  電子先幕走査演算部
１１３ｅ  垂直駆動変調回路制御部
１１４  撮影レンズ
１１５  レンズＣPＵ
１１６  レンズ駆動回路
１１７  絞り駆動回路
１１８  レンズ側通信接点
１１９  カメラ側通信接点
１５０  情報格納部
１５１  画像表示部
【図１】
2015097320.tif 000003
【図２】
2015097320.tif 000004
【図３】
2015097320.tif 000005
【図４】
2015097320.tif 000006
【図５】
2015097320.tif 000007
【図６】
2015097320.tif 000008
【図７】
2015097320.tif 000009
【図８】
2015097320.tif 000010
【図９】
2015097320.tif 000011